(57)【要約】【課題】厚い商品や薄い商品のカバーを１種類の低い高さの中蓋で行なえる構造簡易で安価に実施できる包装用箱を提供する。【解決手段】紙を折り畳んで構成された本体と、蓋体および収容物を装填した本体に冠装される可視窓付きの高さの低い中蓋とからなり、前記本体の対向する２面の側壁に、前記中蓋をその上面が側壁上端縁とほぼ整合するレベルに支持可能な切起し片を設けた。【選択図】図２
0003139796.tif 000002
【実用新案登録請求の範囲】
【請求項１】
紙を折り畳んで構成された本体と、蓋体および収容物を装填した本体に冠装される可視窓付きの高さの低い中蓋とからなり、前記本体の対向する２面の側壁に、前記中蓋をその上面が側壁上端縁とほぼ整合するレベルに支持可能な切起し片を設けていることを特徴とする包装用箱。
【考案の詳細な説明】
【技術分野】
【０００１】  本考案は包装用箱とりわけ中蓋付きの包装用箱に関する。
【背景技術】
【０００２】  包装用箱としては、厚手の板紙を折り畳んで底と４面の側壁を形成した本体と対応する４面の側壁を有する蓋体からなるタイプのほかに、収容物が良く見えるようにセロファンなどの透明フィルムを張った枠状中蓋をさらに付加したタイプがある。【０００３】  後者のタイプにおいて、従来では、収容物の厚さに対応するために、図1のように、側壁の高さが本体の内寸全高とほぼ一致する寸法にした第１種の中蓋Ａと、側壁の高さを非常に低くした第２種の中蓋Ｂとを用意し、収容物によって選択使用していた。【０００４】このような手段では、２種の中蓋Ａ，Ｂを製作するコストが高くなり、またそれらを各別に保管したり、包装時に使い分けたりする必要があるので、取り扱いも面倒であるという問題があった。
【考案の開示】
【考案が解決しようとする課題】
【０００５】  本考案は前記のような問題点を解消するためになされたもので、その目的とするところは、厚い商品や薄い商品のカバーを１種類の低い高さの中蓋で行なえる構造簡易で安価に製作可能な包装用箱を提供することにある。
【課題を解決するための手段】
【０００６】  上記目的を達成するため本考案は、板紙を折り畳んで構成された本体と、蓋体および収容物を装填した本体に冠装される可視窓付きの高さの低い中蓋とからなり、前記本体の対向する２面の側壁に、前記中蓋をその上面が側壁上端縁とほぼ整合するレベルに支持可能な切起し片を設けたことを特徴としている。
【考案の効果】
【０００７】  薄い収容物である場合には切起し片を支え手段として機能させずに中蓋を奥深く嵌装すればよく、嵌装後に切起し片を適度に本体内方に傾けることにより、運搬時などにおける振動や衝撃での中蓋の浮上を抑制することができる。  収容物が厚い時には、本体の対向する側壁の切起し片を適度に斜めに引き出し、中蓋の側壁下端縁を載せることにより、中蓋の上面を本体の側壁上縁とほぼ一致するレベルに保持させることができる。また、収容物が中程度の厚さである場合には、中蓋を２個使用し、１個を本体の奥深く嵌装して上げ底の機能をさせ、もう一個を前記のように切起し片に支持させることもできる。したがって、比較的低い側壁高さの中蓋を一種類用意しておくだけで、種々の厚さの商品が可視的に体裁よく覆われた包装を行なうことができ、コスト低減と取り扱いの簡易化を図ることができるというすぐれた効果が得られる。
【実施例１】
【０００８】 以下添付図面を参照して本考案の実施例を説明すると、 図１ないし図９は本考案による包装用箱の一実施例を示しており、たとえば７５ｍｍといった所要の高さ（深さ）を有する本体１と、これの開口部を覆うたとえば３０〜４０ｍｍ程度の比較的浅い蓋体２と、前記本体１に内嵌されて収容物を覆うたとえば２０〜４０ｍｍ程度の比較手高さの低い中蓋３とからなっている。【０００９】前記本体１は板紙を折り畳んで長方形状に構成されており、底壁１０から立ち上がる４面の側壁１１を有しているが、それら側壁１１は、それぞれ前記底壁１０の外縁に連続して立ち上がる外板部１１Ａとこれの頂縁から１８０度反転して下降する内板部１１Ｂの２重構造からなっている。蓋体２も板紙を折り畳んで構成されており、本体１と同様に天壁２０から下る４面の側壁２１を有しており、側壁２１は本体の前記側壁１１を外嵌する寸法に作られている。【００１０】中蓋３は、大きな窓穴３２を形成した天壁３０の外縁からそれぞれが分離した側壁３１、３２，３３，３４を連設・屈曲してなり、天壁３０の内面には窓穴３２を覆うセロファンのごとき透明フィルム４が張られている。【００１１】以上のような構造は従来の包装用箱と同様であるが、本考案は、図３と図４のように、本体１の相対する２面の側壁(ここでは長辺方向の側壁)における内板部１１Ｂに３方切り離し、すなわち所要長さの横カット線１１１とこれの両端からのびる縦カット線１１２，１１２を設けて、中蓋支持用の切起し片１２、１２を形成している。前記切起し片１２はこの例では台形状をなしているが、これに限定されるものではない。前記切起し片１２の側壁高さ方向での位置、すなわち接続線部１１３の位置は、中蓋３の最上位高さすなわち中蓋３を本体１の側壁１１に内嵌したときに、図５と図６のように天壁３０が側壁11の頂縁とほぼ一致する状態が得られるように設定する。【００１２】本考案による包装用箱を得るには、板紙の段階で、図４（ａ）のような展開時に内板部１１Ｂとなる部分に横カット線１１１とこれの両端からのびる縦カット線１１２，１１２を設けておけばよく、あとは図4（ｂ）のように通常の本体１を作製する際の板紙折り畳みを行なえばよい。したがって、製作コストの上昇はほとんどない。【００１３】商品を装填して包装するに当たっては、商品Ｗの厚さが薄いものである場合（Ｈ２）には、図７のように中蓋３の側壁３１、３２，３３，３４が本体１の底壁１０に当接するように内嵌すればよい。このときに、対をなす切起し片１２、１２を適度に内方に向けて倒せば、運送中などにおいて商品Ｗが揺られたり、上下振動されたりしても、中蓋３が踊ったりすることが防止される。【００１４】商品Ｗの厚さが非常に大きいものである場合(Ｈ１)には、対をなす切起し片１２、１２を適度に内方に傾かせ、中蓋３の側壁３１、３３を切起し片１２、１２の内側にはめればよく、これにより、図５と図６のように中蓋３は接続線部１１３によって安定的に支えられ、適切なカバー状態とされる。したがって、本考案によれば、高さの低い一種類の中蓋３を作製しておくだけで、厚みの異なる商品Ｗを体裁よく包装することができる。【００１５】また、本考案の使用法として、中蓋３を２個使用し、図９のようにひとつの中蓋３を本体１の底側に配して上げ底用とし、この上に商品Ｗを載置し、もうひとつの中蓋３を切起し片１２，１２に係止させてもよい。これによれば、厚さＨ３が最大Ｈ1と最小Ｈ２の中間にある商品Ｗを体裁よく包装することができる。【００１６】  なお、切起し片１２は実施例では１段であるが、上下に複数段設けてもよい。これにより、商品の厚さが最大である場合と中程度である場合に、それぞれに適したカバー状態を形成することができる。  また、切起し片１２の大きさ、横方方向での数も限定はない。
【図面の簡単な説明】
【００１７】
【図１】従来の包装用箱における中蓋の斜視図である。
【図２】本考案による包装用箱の斜視図である。
【図３】本考案における包装用箱本体の斜視図である。
【図４】（ａ）は本考案における包装用箱本体の部分的展開図、(ｂ)は箱形成状態の斜視図である。
【図５】厚みの大きい商品を包装した状態の部分的斜視図である。
【図６】図５の断面図である。
【図７】厚みの小さい商品を包装した状態の部分的斜視図である。
【図８】図７の断面図である。
【図９】本考案により可能な他の包装形態を示す断面図である。
【符号の説明】
【００１８】  １  本体  ２  蓋体  ３  中蓋  ４  透明フィルム  １１  本体の側壁  １１Ｂ  内板部    １２  切起し片
【図１】
0003139796.tif 000003
【図２】
0003139796.tif 000004
【図３】
0003139796.tif 000005
【図４】
0003139796.tif 000006
【図５】
0003139796.tif 000007
【図６】
0003139796.tif 000008
【図７】
0003139796.tif 000009
【図８】
0003139796.tif 000010
【図９】
0003139796.tif 000011